(57)【要約】      （修正有）【課題】子機と親機との通信タイミングに支障を来たさず、子機の操作で表示する給湯温度がその後の親機からの無線データで変更されない無線通信システムを提供する。【解決手段】親機３は、子機５から給湯器本体１の給湯温度を所定の要求温度に変更する指示を受信した場合、給湯器本体１には子機５の要求温度になるまで給湯器本体１の給湯温度を小刻みに変更する作動指示を送信する。一方、子機５には給湯器本体１の給湯温度が子機５からの要求温度となる一定時間が経過するまでモニタ情報に含む給湯器本体１の給湯温度に代えて子機５からの要求温度を送信し、一定時間経過後に給湯器本体１の給湯温度を示すモニタ情報を送信する。これにより、子機５と親機３との間の通信タイミングを確保し、子機５で表示される給湯温度が変更途中の給湯器本体１の給湯温度に書き換えられることがなく、使用者に使い勝手のよいものとなる。【選択図】図４
2007315685.tif 000002
【特許請求の範囲】
【請求項１】
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過するまで上記モニタ情報に含む給湯器本体の給湯温度に代えて子機からの要求温度を送信するように制御することを特徴とする給湯器の無線通信システム。
【請求項２】
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過した後に給湯器本体の給湯温度を示す上記モニタ情報を送信するように制御することを特徴とする給湯器の無線通信システム。
【請求項３】
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過するまで上記モニタ情報に含む給湯器本体の給湯温度に代えて子機からの要求温度を送信し、上記一定時間経過後に給湯器本体の給湯温度を示す上記モニタ情報を送信するように制御することを特徴とする給湯器の無線通信システム。
【請求項４】
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部と、子機処理部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に親機無線データとして子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信するように制御し、
子機の子機処理部は、上記温度変更指示を送信すると、給湯器本体の給湯温度が子機からの要求温度となる一定時間が経過するまで上記親機無線データに含む給湯器本体の給湯温度を無効化処理することを特徴とする給湯器の無線通信システム。
【発明の詳細な説明】
【技術分野】
【０００１】
本発明は、給湯器本体との間で有線通信を行う親機と、親機との間で無線通信を行う無線リモコンからなる子機とを備え、親機を中継して子機と給湯器本体との間で通信可能とする給湯器の無線通信システムに関する。
【背景技術】
【０００２】
従来より、給湯器等において、屋内のリモコンの配線工事が不要で施工性がよく、また、既設の給湯器にリモコンを簡易に後付設置できることから、屋外の給湯器を親機を中継して屋内の子機（無線リモコン）で無線通信により遠隔操作する無線通信システムが知られている。
例えば、図５に示すように、この種の無線通信システムは、給湯器本体１０１の電子ユニット１０２と有線通信回線１０６で接続して給湯器本体１０１と有線通信する親機１０３と、この親機１０３と無線通信する子機１０５とを備え、親機１０３と給湯器本体１０１との間の通信は有線による常時通信を行い、親機１０３と子機１０５との間の通信は無線による間欠通信を行っている。そして、親機１０３と子機１０５との間欠通信は、親機１０３からの親機無線データに次のデータ送信時点を示す送信開始時点情報を含めることで、子機１０３側でこの送信開始時点情報を基に通信タイミングを同期させている（特許文献１）。
【０００３】
従って、子機１０５のスイッチ操作による操作情報が無線の間欠通信により親機１０３に送信されると、親機１０３からの作動指示が有線の常時通信により直ちに給湯器本体１０１に送信される。これにより、給湯器本体１０１は、その作動指示に従った動作を行う。また、給湯器本体１０１のモニタ情報（燃焼運転中、燃焼停止中、給湯温度など）は、有線の常時通信により親機１０３で常時受信され、親機１０３からは無線の間欠通信により子機１０５に送信される。これにより、子機１０５は、給湯器本体１０１の最新のモニタ情報が定期的に得られ、このモニタ情報を表示部に表示する。このようにして、上記無線通信システムは、親機１０３を中継して、無線リモコンとなる子機１０５によって、屋外の給湯器本体１０１を遠隔操作し且つ給湯器本体１０１のモニタ情報を表示する。
【特許文献１】特開２００５−３２８２９６
【特許文献２】特開２００５−３２８２９５
【特許文献３】特開２００４−１３２６７１
【特許文献４】特開平４−１７２８９９号
【発明の開示】
【発明が解決しようとする課題】
【０００４】
ところで、給湯器本体１０１においては給湯温度の設定が例えば１℃ずつしか変更できない機種や、出湯中に給湯温度を設定変更しても給湯器本体１０１での燃焼制御を細かく行って出湯温度の急変を抑制する等の要望に応えるため、子機１０５で給湯温度を変更すると、親機１０３は、給湯器本体１０１に対して、給湯器本体１０１の給湯温度を小刻み（例えば１℃ずつ）に変更するように作動指示する。一方、親機１０３は、給湯器本体１０１との間で常時通信しているので、給湯器本体１０１へのデータ送信中でも給湯器本体１０１からモニタ情報を常時受信し、そして、子機１０５との間の無線による間欠通信の送信タイミングで、その時の給湯器本体１０１のモニタ情報を子機１０５に送信する。そのため、送信タイミングによっては、給湯器本体１０１での給湯温度の変更が未だ完了していない情報である給湯器本体１０１のモニタ情報が親機１０３から子機１０５へ送信されることがある。
【０００５】
例えば、子機１０５で、給湯器本体１０１の給湯温度を現在の４０℃から５０℃に変更すると、親機１０３は、給湯器本体１０１の給湯温度が４０℃から５０℃に変更されるように、給湯温度に「＋１℃」する作動指示を給湯器本体１０１に対し連続して１０回自動送信する。そして、間欠通信のタイミングとなった時点で、給湯器本体１０１の給湯温度が、まだ４３℃にしか変更されていない場合でも、「給湯温度：４３℃」というモニタ情報が子機１０５へ送信される。すると、子機１０５では、子機１０５での設定情報と親機１０３のモニタ情報を同じ表示部で共用しているので、先に給湯温度を５０℃に変更し、その表示部で「給湯温度：５０℃」とする表示内容が、親機１０３から受信したモニタ情報によって「給湯温度：４３℃」と書き換えられてしまう。そのため、使用者においては、子機１０５で給湯温度を５０℃に変更したはずの表示内容が４３℃に変わったのを見て、不信感や違和感を与え、また、子機１０５が故障していると誤解させる等の問題がある。
【０００６】
そこで、このような支障を来たさないために、子機１０５において、親機１０３からの無線データをしばらく受信しないようにする手段も考え得るが、この場合、親機１０３からの次のデータ送信時点を示す送信開始時点情報までも受信できなくなるため、子機１０５と親機１０３との間の間欠通信の通信タイミングが同期できなくなるという不具合が起こる。
【０００７】
本発明は、上記事情に鑑みてなされたものであり、子機と親機との間の間欠通信の通信タイミングに支障を来たすことなく、子機の操作で表示する給湯温度がその後の親機からの無線データで変更されないようにし、使用者にとって使い勝手のよい無線通信システムを提供することを課題とする。
【課題を解決するための手段】
【０００８】
（１）請求項１に係る給湯器の無線通信システムは、
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過するまで上記モニタ情報に含む給湯器本体の給湯温度に代えて子機からの要求温度を送信するように制御することを特徴とするものである。
【０００９】
これにより、子機から給湯器本体の給湯温度を変更する場合、親機から給湯器本体に対して給湯器本体の給湯温度を小刻みに変更する作動指示を行っても、上記一定時間が経過するまでは、変更途中の給湯器本体の給湯温度が親機から子機へ送信されることがなく、子機からの要求温度が送信される。この場合、子機の表示部では、親機から受信した子機での要求温度を給湯器本体の給湯温度として表示することとなり、この表示部で表示される給湯温度は、先に子機で指示し設定した要求温度そのものであるから、子機の表示部で表示されている給湯温度が変わることはない。
また、この場合、子機は、親機から受信した無線データに含む送信開始時点情報を取得するので、子機と親機との間の間欠通信の通信タイミングに支障を来たすこともない。
【００１０】
（２）請求項２に係る給湯器の無線通信システムは、
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過した後に給湯器本体の給湯温度を示す上記モニタ情報を送信するように制御することを特徴とするものである。
【００１１】
これにより、子機から給湯器本体の給湯温度を変更する場合、親機から給湯器本体に対して給湯器本体の給湯温度を小刻みに変更する作動指示を行っても、上記一定時間経過後に、給湯器本体の給湯温度が親機から子機へ送信されるので、この時点での給湯器本体の給湯温度は、子機での要求温度に既に変更されている。この場合、子機の表示部では、親機から受信した給湯器本体の給湯温度を表示することとなり、この表示部で表示される給湯温度は、先に子機で指示し設定した要求温度と一致するから、子機の表示部で表示されている給湯温度が変わることはない。
また、この場合、子機は、親機から受信した無線データに含む送信開始時点情報を取得するので、子機と親機との間の間欠通信の通信タイミングに支障を来たすこともない。
【００１２】
（３）請求項３に係る給湯器の無線通信システムは、
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信する一方、子機には給湯器本体の給湯温度が子機からの要求温度となる一定時間が経過するまで上記モニタ情報に含む給湯器本体の給湯温度に代えて子機からの要求温度を送信し、上記一定時間経過後に給湯器本体の給湯温度を示す上記モニタ情報を送信するように制御することを特徴とするものである。
【００１３】
これにより、子機から給湯器本体の給湯温度を変更する場合、親機から給湯器本体に対して給湯器本体の給湯温度を小刻みに変更する作動指示を行っても、上記一定時間が経過するまでは、変更途中の給湯器本体の給湯温度が親機から子機へ送信されることがなく、子機からの要求温度が送信される。この場合、子機の表示部では、親機から受信した子機での要求温度を給湯器本体の給湯温度として表示することとなり、この表示部で表示される給湯温度は、先に子機で指示し設定した要求温度そのものであるから、子機の表示部で表示されている給湯温度が変わることはない。
そして、上記一定時間経過後に、給湯器本体の給湯温度が親機から子機へ送信されるので、この時点での給湯器本体の給湯温度は、子機での要求温度に既に変更されている。この場合、子機の表示部では、親機から受信した給湯器本体の給湯温度を表示することとなり、この表示部で表示される給湯温度は、先に子機で指示し設定した要求温度と一致するから、子機の表示部で表示されている給湯温度が変わることはない。
また、この場合、子機は、親機から受信した無線データに含む送信開始時点情報を取得するので、子機と親機との間の間欠通信の通信タイミングに支障を来たすこともない。
【００１４】
（４）請求項４に係る給湯器の無線通信システムは、
給湯器本体を無線で遠隔操作する子機と、給湯器本体とは有線による常時通信を行うと共に子機とは無線による間欠通信を行って給湯器本体と子機との通信の中継を行う親機とを備える給湯器の無線通信システムにおいて、
子機は、給湯器本体を遠隔操作するスイッチ部と、スイッチ部での操作情報や給湯器本体のモニタ情報を表示する表示部と、親機との間で無線による間欠通信を行う子機無線通信回路と、親機の通信タイミングと同期するように制御する子機通信制御部と、子機処理部とを備え、
親機は、給湯器本体との間で有線による常時通信を行う有線通信回路と、子機との間で無線による間欠通信を行う親機無線通信回路と、給湯器本体のモニタ情報を給湯器本体から常時受信する一方、このモニタ情報を次のデータ送信時点を示す送信開始時点情報と共に親機無線データとして子機に間欠送信するように制御する親機通信制御部とを備え、
親機の親機通信制御部は、子機から給湯器本体の給湯温度を所定の要求温度に変更する指示を受信した場合は、給湯器本体には子機の要求温度になるまで給湯器本体の給湯温度を小刻みに変更する作動指示を送信するように制御し、
子機の子機処理部は、上記温度変更指示を送信すると、給湯器本体の給湯温度が子機からの要求温度となる一定時間が経過するまで上記親機無線データに含む給湯器本体の給湯温度を無効化処理することを特徴とするものである。
【００１５】
これにより、子機処理部によって、子機が受信した親機無線データに含む変更途中の給湯温度が無効化処理されるので、子機の表示部では、変更途中の給湯器本体の給湯温度が表示されることがない。従って、子機の表示部では、常に子機での要求温度どおりの給湯温度の表示が維持される。また、この場合、子機は、親機から受信した親機無線データに含む送信開始時点情報を取得するので、子機と親機との間の間欠通信の通信タイミングもそのまま確保される。
【発明の効果】
【００１６】
以上のように、本発明によれば、子機から給湯器本体の給湯温度を変更する場合、親機から給湯器本体に対して給湯器本体の給湯温度を小刻みに変更する作動指示が行われても、親機からの親機無線データにより、子機の表示部で表示されている給湯温度が変わることはない。また、子機と親機との間の通信タイミングもそのまま確保される。
従って、子機で給湯温度の変更を指示すると、子機で表示される給湯温度が変更途中の給湯器本体の給湯温度に書き換えられるといった不具合を生じさせることがなく、使用者にとって使い勝手のよいものとなる。
【発明を実施するための最良の形態】
【００１７】
以下に、本発明の実施の形態について添付図面を参照しながら説明する。
（実施形態１）
図１に示すように、実施の形態１による給湯器の無線通信システムは、給湯器本体１との間で有線通信を行う親機３と、親機３との間で無線通信を行う無線リモコンとなる子機５とを備え、親機３を中継して子機５と給湯器本体１との間で通信可能とするものである。
給湯器本体１は、燃焼バーナ、熱交換部、通水管路等（図示せず）のほか、給湯器本体１の動作制御を行う電子ユニット２を備える。親機３は、給湯器本体１の電子ユニット２と通信ケーブル等の有線通信回線６により接続されている。また、親機３は、電源コードで給湯器本体１と接続されて給湯器本体１側から電源供給される。子機５は、親機３との間で間違いなく無線通信できるように互いのＩＤコード登録によるペアリングがなされている。また、子機５には、電池が取り付けられてこの電池から電源供給される。なお、親機３は、通常、給湯器本体１の近傍の屋外に設置され、子機５は、無線リモコンとして台所や浴室等に設置され、複数台有していてもよい。
【００１８】
親機３は、給湯器本体１との間で有線による常時通信を行う有線通信回路３０、子機５との間で無線による間欠通信を行う親機無線通信回路３１、親機処理部３２、親機メモリ３３等を備える。
親機３の親機処理部３２は、給湯器本体１から常時受信する本体有線データや子機５から受信する子機無線データを解析する親機データ解析部３４、子機５に送信する親機無線データや給湯器本体１に送信する親機有線データの生成を行う親機データ生成部３５、親機無線通信回路３１を子機５へのデータ送信が可能なデータ送信可能状態と子機５からのデータ受信が可能なデータ受信可能状態とに切り換える親機状態切換手段３６、通信タイミング等を計る親機計時手段３７、親機通信制御部３８等を備える。
【００１９】
そして、親機３の親機通信制御部３８は、給湯器本体１のモニタ情報を給湯器本体１から常時受信する一方、このモニタ情報を次のデータ送信時点を示す送信開始時点情報と共に子機５に間欠送信するように制御する。
また、この親機通信制御部３８は、子機５から給湯器本体１の給湯温度を所定の要求温度に変更する指示を受信した場合は、給湯器本体１には子機５の要求温度になるまで給湯器本体１の給湯温度を小刻みに変更する作動指示を送信する一方、子機５には給湯器本体１の給湯温度が子機５からの要求温度となる一定時間が経過するまで上記モニタ情報を含む給湯器本体１の給湯温度に代えて子機５からの要求温度を送信し、上記一定時間経過後に給湯器本体１の給湯温度を示す上記モニタ情報を送信するように制御する。
【００２０】
子機５は、親機３との間で無線による間欠通信を行う子機無線通信回路５０、給湯器本体１の遠隔操作等するスイッチ部５１、スイッチ部５１での操作情報や給湯器本体１のモニタ情報等を表示する表示部５２、子機処理部５３、子機メモリ５４等を備える。
子機５の子機処理部５３は、スイッチ部５１での操作情報や親機３から間欠受信する親機無線データを解析する子機データ解析部５５、親機３に送信する子機無線データや表示部５２での表示用データの生成を行う子機データ生成部５６、子機無線通信回路５０を親機３へのデータ送信が可能なデータ送信可能状態と親機３からのデータ受信が可能なデータ受信可能状態と親機３との送受信が不能な待機状態とに切換える子機状態切換手段５７、通信タイミング等を計る子機計時手段５８、親機３の通信タイミングと同期するように制御する子機通信制御部５９等を備える。
【００２１】
そして、親機３は、親機状態切換手段３６によって、親機無線通信回路３１を送信部ＯＮ且つ受信部ＯＦＦにすると子機５へのデータ送信可能状態となり、親機無線通信回路３１を送信部ＯＦＦ且つ受信部ＯＮにすると子機５からのデータ受信可能状態となる（図２参照）。また、子機５は、子機状態切換手段５７によって、子機無線通信回路５０を送信部ＯＮ且つ受信部ＯＦＦにすると子機５へのデータ送信可能状態となり、子機無線通信回路５０を送信部ＯＦＦ且つ受信部ＯＮにすると子機５からのデータ受信可能状態となり、さらに、子機無線通信回路５０の送信部及び受信部を共にＯＦＦにすると親機３とは無線通信不能な待機状態となる（図２、図３参照）。なお、子機５において待機状態のときは子機無線通信回路５０への電源供給が遮断され、その間、子機５の電池の消耗が抑えられる。
【００２２】
次に、子機５、親機３、給湯器本体１の間でのデータのやり取りについて説明する。
親機３と給湯器本体１との間の通信は、常時通信となっているので、親機３は、給湯器本体１のモニタ情報（燃焼運転中、燃焼停止中、給湯温度など）を示す本体有線データを給湯器本体１から常時受信している。
【００２３】
一方、図２に示すように、親機３と子機５との間の通信は、間欠通信となっているので、親機３は、親機無線通信回路３１をデータ送信可能状態とし、給湯器本体１のモニタ情報を親機無線データＧに含めて子機５に送信する。親機３は、この親機無線データＧにおいて、次に親機無線データＧを送信する時点（次にデータ送信可能状態となる開始時点）を示す送信開始時点情報Ｔnextも含めている。従って、子機５は、親機無線データＧの受信を終了した時点（ｔ2，ｔ5，ｔ8・・）で、子機無線通信回路５０をデータ受信可能状態から待機状態に切り換え、そして、送信開始時点情報Ｔnextを基に、次に親機無線データＧが送信される時点の直前（ｔ3，ｔ6・・）になると、再び子機無線通信回路５０をデータ受信可能状態に切り換えて、親機３からの次の親機無線データＧの受信に備える。なお、送信開始時点情報Ｔnextとしては、親機無線データＧ（Ｇ1，Ｇ2・・）の送信終了時点（ｔ2，ｔ5・・）から次に親機無線データＧ（Ｇ2，Ｇ3・・）を送信開始する時点（ｔ4，ｔ7・・）までの時間間隔を示すものでもよいし、次の親機無線データＧの送信開始時刻（ｔ4，ｔ7・・の時刻）を示すものでもよい。
このようにして、子機５は、親機３の間欠送信タイミングに同期させて親機３からの親機無線データＧを間欠受信する。そして、子機５は、親機３から受信した親機無線データＧに含む給湯器本体１のモニタ情報を表示部５２に表示させる。
【００２４】
また、図３に示すように、子機５でスイッチ部５１を操作して給湯器本体１の遠隔操作を行うと、スイッチ部５１がＯＦＦからＯＮに切り換わった時点（ｔ23）で、子機無線通信回路５０を待機状態からデータ送信可能状態に切り換えて、ＯＮされたスイッチ部５１に応じた操作情報を含む子機無線データＦを親機３に送信する。同時に、子機５の表示部５２には、スイッチ部５１での操作情報を表示させる。なお、子機５のスイッチ操作が子機５でのデータ受信可能状態のときに行われた場合は、子機５は、データ受信の終了を待って子機無線データＦを送信する。
【００２５】
このとき、親機３は、子機５からデータ受信可能状態にあるので、子機無線データＦを受信すると、受信確認のため子機無線データＦに含む子機５の操作情報を、送信開始時点情報Ｔnext（Ｔnext5）と共に返信データＨとして子機５に返信する一方、この子機無線データＦに含む操作情報に応じた給湯器本体１の作動指示を、給湯器本体１との間の常時通信による親機有線データに含めて給湯器本体１に送信する。この場合、親機３と給湯器本体１との間の通信は、常時通信となっているので、親機３は、給湯器本体１からモニタ情報を含む本体有線データの受信中でも親機有線データを給湯器本体１に送信することができる。これにより、給湯器本体１は、この作動指示に応じて所定の動作が行われるので、子機５から遠隔操作されることとなる。なお、返信データＨには、給湯器本体１のモニタ情報は含まない。
【００２６】
また、親機３は、返信データＨを送信するときは、先の親機無線データＧ（Ｇ4）に含む送信開始時点情報Ｔnext（Ｔnext4）の送信時点によらず、返信データＨを子機５に送信する。子機５は、子機無線データＦの送信を終了した時点で、子機無線通信回路５０をデータ送信可能状態からデータ受信可能状態に切り換えて、親機３からの返信データＨの受信に備えている。従って、子機５は、親機３からの返信データＨの受信が終了すると、子機無線通信回路５０をデータ受信可能状態から待機状態に切り換え、スイッチ操作がなければ、返信データＨに含む送信開始時点情報Ｔnext（Ｔnext5）を基に親機３との間の通信タイミングがとられる。
また、子機５は、返信データＨに含む子機５での操作情報を表示部５２に表示させるが、このときの表示内容は、子機５でスイッチ操作したときに表示される表示内容と一致するので、表示部での表示が変わることはない。
なお、親機３は、返信データＨに表示点滅信号を含めることで、子機５の表示部５２において返信データＨに含む子機５での操作情報の表示を点滅させるようにし、親機３でのデータ受信確認を明示できるようにしてもよい。
【００２７】
ところで、親機３は、子機５から給湯器本体１の給湯温度を所定の要求温度に変更する指示（子機無線データＦ）を受信すると、給湯器本体１には子機５の要求温度になるまで給湯器本体１の給湯温度を小刻みに変更する作動指示（親機有線データ）を送信する一方、子機５には一定時間Ｔが経過するまで上記モニタ情報に含む給湯器本体１の給湯温度に代えて子機５からの要求温度（親機無線データＧ5(H)，Ｇ6(H)・・）を送信する（図３参照）。
ここで、子機５の要求温度とは、給湯器本体１において設定される給湯温度をいう。給湯器本体１は、給湯動作を行う際には出湯口等での湯の温度（出湯温度）が上記給湯温度となるように各部の動作制御が行われる。従って、上記要求温度は、給湯器本体１に設定される給湯温度であるが、出湯口等から出湯される実際の湯の温度（出湯温度）でもある。
【００２８】
具体的に、子機５で給湯器本体１の給湯温度が変更されると、図４のフローチャートの右側に示すように、親機３は、給湯器本体１との有線通信部分では、常時受信している給湯器本体１の現在の給湯温度を、例えば１℃ずつ小刻みに変更するように、給湯温度に「＋１℃」又は「−１℃」する作動指示の親機有線データを給湯器本体１に対し連続して自動送信する（Ｓ１０）。これにより、給湯器本体１では、設定されている給湯温度が１℃ずつ小刻みに変更される。例えば、子機５で給湯温度を４０℃から５０℃に変更した場合、親機３は、給湯器本体１の給湯温度が５０℃に変更されるまで、給湯器本体１に設定されている給湯温度に「＋１℃」する作動指示の親機有線データを給湯器本体１に対し１０回連続して送信する。
【００２９】
一方、図４のフローチャートの左側に示すように、親機３は、子機５との無線通信部分では、上記返信データＨ（この場合、給湯温度として子機５からの要求温度）を送信し（Ｓ２０）、一定時間Ｔ（例えば、５秒間）が経過するまでは、給湯器本体１から常時受信している給湯器本体１の給湯温度ではなく、子機無線データＦにおける子機５での要求温度（例えば、「給湯温度：５０℃」）を親機無線データＧ5(H)，Ｇ6(H)・・に含めて子機５に間欠送信する（Ｓ２１，２２：図３参照）。これにより、子機５は、親機３から受信した親機無線データＧ5(H)，Ｇ6(H)・・に含む子機５での要求温度を給湯器本体１の給湯温度として表示部５２に表示することとなる。この場合に子機５の表示部５２で表示される給湯温度は、先に子機５でスイッチ操作した子機５での要求温度そのものなので、子機５の表示部５２での給湯温度が変わることはない。
【００３０】
ここで、上記一定時間Ｔは、給湯器本体１の給湯温度が子機５からの要求温度となる時間長、すなわち、親機３が給湯器本体１に対して給湯温度を小刻みに変更する作動指示のデータ送信がすべて終了し、親機３で常時受信する給湯器本体１の給湯温度が子機５からの要求温度に変更される時間長、あるいはそれ以上の時間長とする。従って、この一定時間Ｔは、親機３と給湯器本体１との間の有線通信回線６の通信環境等によって適宜に設定することができる。
【００３１】
そして、上記一定時間Ｔが経過した後、親機３は、給湯器本体１から常時受信している給湯器本体１の給湯温度を親機無線データＧ10に含めて子機５に間欠送信する（Ｓ２３：図３参照）。この時点での給湯器本体１の給湯温度は、上記一定時間Ｔの経過により、子機５での要求温度に既に変更されたものとなっている（Ｓ１１）。従って、子機５は、親機３から受信した親機無線データＧ10を基に給湯器本体１の給湯温度を表示部５２に表示しても、この場合に子機５の表示部５２で表示される給湯温度は、先に子機５でスイッチ操作した子機５での要求温度と一致するので、子機５の表示部５２での給湯温度が変わることはない。
【００３２】
このように、実施の形態１による無線通信システムによれば、子機５においては、給湯温度の変更を指示しても、常に子機５での要求温度どおりの給湯温度が表示されるので、従来のように、給湯温度の変更を指示すると、しばらくの間は変更途中の給湯器本体１の給湯温度に書き換えられるといった不具合を生じることがなく、使用者に違和感や不信感、あるいは子機５の故障等との誤解を与えるといったこともない。また、この場合、子機５は、親機３から受信した親機無線データＧや返信データＨに含む送信開始時点情報Ｔnextを取得するので、子機５と親機３との間の間欠通信の通信タイミングに支障を来たすこともない。従って、この無線通信システムは、使用者にとって使い勝手のよいものとなる。
【００３３】
（実施形態２）
実施の形態２による給湯器の無線通信システムにおいては、親機３は、子機５から給湯器本体１の給湯温度を所定の要求温度に変更する指示の子機無線データＦを受信すると、一定時間Ｔ（実施の形態１と同じ）が経過するまでは、子機５には、返信データＨを送信する以外、給湯器本体１から常時受信している給湯器本体１のモニタ情報を含む親機無線データＧを送信しないようにする。
すなわち、返信データＨには次に親機無線データＧを送信する時点を示す送信開始時点情報Ｔnext（図３中のＴnext5が相当する。）を含めているが、このときの送信開始時点情報Ｔnextとしては、次に親機無線データＧを送信する時点が、上記一定時間Ｔが経過した後となるように長く設定される（例えば、図３において、返信データＨに含む送信開始時点情報Ｔnext5は、この返信データＨの次に給湯器本体１のモニタ情報を含む親機無線データＧ10が送信されることとなる時点とする。）。
【００３４】
これにより、親機３は、上記一定時間Ｔが経過するまでは、給湯器本体１から常時受信している給湯温度を子機５に送信することはない。すると、上記一定時間Ｔの間に、給湯器本体１の給湯温度は、親機３と給湯器本体１との間の常時通信によって子機５での要求温度に変更される。そして、上記一定時間Ｔ経過後に、親機３は、常時受信している給湯器本体１の給湯温度を親機無線データＧに含めて子機５に送信する。子機５は、この親機無線データＧを受信すると、親機３から受信した給湯器本体１の給湯温度を表示部５２に表示する。この場合に、子機５の表示部５２に表示される給湯温度は、先に子機５でスイッチ操作したときに表示された要求温度と一致するので、子機５の表示部５２で表示されている給湯温度が変わることはない。その他の構成、動作等は実施の形態１と同様である。
【００３５】
このように、実施の形態２による無線通信システムにおいても、子機５においては、給湯温度の変更を指示しても、変更途中の給湯器本体１の給湯温度に書き換えられることがなく、常に子機５での要求温度どおりの給湯温度の表示が維持される。また、この場合、子機５は、親機３から受信した親機無線データＧや返信データＨに含む送信開始時点情報Ｔnextを取得するので、子機５と親機３との間の間欠通信の通信タイミングもそのまま確保される。従って、この無線通信システムは、使用者にとって使い勝手のよいものとなる。
【００３６】
（実施形態３）
実施の形態３による給湯器の無線通信システムにおいては、親機３は、子機５から給湯器本体１の給湯温度を所定の要求温度に変更する指示の子機無線データＦを受信すると、これまでどおり所定の間欠通信タイミングで給湯器本体１のモニタ情報を親機無線データＧに含めて子機５に送信する。
一方、子機５は、上記子機無線データＦを送信すると、これまでどおり所定の間欠通信タイミングで親機３からの親機無線データＧを受信するが、子機処理部５３によって、一定時間Ｔ（実施の形態１と同じ）が経過するまでは、親機無線データＧに含む給湯器本体１の給湯温度を無効化処理（削除、消去、受信しない等）する。
これにより、子機処理部５３によって、子機５が受信した親機無線データＧに含む変更途中の給湯温度が無効化処理されるので、子機５の表示部５２では、変更途中の給湯器本体１の給湯温度が表示されることがない。従って、子機５の表示部５２では、常に子機５での要求温度どおりの給湯温度の表示が維持される。また、この場合、子機５は、親機３から受信した親機無線データＧや返信データＨに含む送信開始時点情報Ｔnextを取得するので、子機５と親機３との間の間欠通信の通信タイミングもそのまま確保される。従って、この無線通信システムは、使用者にとって使い勝手のよいものとなる。その他の構成、動作等は実施の形態１と同様である。
【００３７】
なお、本発明においては、親機３が給湯器本体１に対して給湯温度を小刻みに変更する作動指示を行う場合、給湯温度を１℃ずつ変更するのみならず、２℃ずつ変更したり、あるいは、ある給湯温度までは１℃ずつ変更するが、それ以上では２℃ずつ変更する等、適宜に設定することができる。
【００３８】
また、本発明においては、子機５の表示部５２において、給湯器本体１の給湯温度の変更を要求すると、上記一定時間Ｔ、給湯温度の表示を点滅させるようにしてもよい。この表示温度の点滅は、親機３からの親機無線データＧに表示点滅指令信号を含めることでもよいし、子機５の子機処理部５３での処理によって行ってもよい。
これにより、子機５の表示部５３で給湯温度が点滅表示している間は、給湯器本体１での給湯温度が設定中であると認識でき、また、この点滅表示から通常の点灯表示に変わることで給湯器本体１での給湯温度設定が完了したと認識できる。従って、使用者にとっては子機５で給湯器本体１での処理が認識できて安心感が得られ、一層使い勝手がよいものとなる。
【図面の簡単な説明】
【００３９】
【図１】本発明の実施の形態１による給湯器の無線通信システムを示すブロック図である。
【図２】子機でスイッチ操作がないときの親機と子機との間の通信タイミングを示すタイミングチャートである。
【図３】子機でスイッチ操作があったときの親機と子機との間の通信タイミングを示すタイミングチャートである。
【図４】子機で給湯温度を変更したときの親機での動作を示すフローチャートである。
【図５】従来の給湯器の無線通信システムの全体構成を示す構成図である。
【符号の説明】
【００４０】
１  給湯器本体
２  電子ユニット
３  親機
５  子機
６  有線通信回線
３０  有線通信回路
３１  親機無線通信回路
３２  親機処理部
３８  親機通信制御部
５０  子機無線通信回路
５１  スイッチ部
５２  表示部
５３  子機処理部
５９  子機通信制御部
Ｆ  子機無線データ
Ｇ  親機無線データ
Ｈ  返信データ
Ｔnext  送信開始時点情報
Ｔ  一定時間
【図１】
2007315685.tif 000003
【図２】
2007315685.tif 000004
【図３】
2007315685.tif 000005
【図４】
2007315685.tif 000006
【図５】
2007315685.tif 000007